(57)【要約】【課題】無線ＬＡＮ中継装置と無線ＬＡＮアクセスポイント装置との間の無線接続が切断されている状況において、無線ＬＡＮ中継装置への遠隔アクセスを行う環境を構築することができる無線ＬＡＮ中継装置を提供すること。【解決手段】本発明にかかる無線ＬＡＮ中継装置１１０は、無線ＬＡＮアクセスポイント装置１００から送信された電波を中継して無線ＬＡＮ通信端末１２０へ送信する。無線ＬＡＮ中継装置１１０は、無線ＬＡＮアクセスポイント装置１００との無線接続状態を監視する監視部１０と、監視部１０が、無線ＬＡＮアクセスポイント装置１００との無線接続が切断されたことを検知した場合に、アドレス管理サーバ機能を起動し、無線ＬＡＮ通信端末１２０へ通信用アドレスを割り当てるアドレス割当部１１と、を備えるものである。【選択図】図１
2016192637.tif 000002
【特許請求の範囲】
【請求項１】
無線ＬＡＮアクセスポイント装置から送信された電波を中継して無線ＬＡＮ通信端末へ送信する無線ＬＡＮ中継装置であって、
前記無線ＬＡＮアクセスポイント装置との無線接続状態を監視する監視部と、
前記監視部が、前記無線ＬＡＮアクセスポイント装置との無線接続が切断されたことを検知した場合に、アドレス管理サーバ機能を起動し、前記無線ＬＡＮ通信端末へ通信用アドレスを割り当てるアドレス割当部と、を備える無線ＬＡＮ中継装置。
【請求項２】
前記アドレス割当部は、
前記無線ＬＡＮアクセスポイント装置との無線接続が切断された要因が、前記無線ＬＡＮアクセスポイント装置の設定変更であるか否かを判定し、
前記無線ＬＡＮアクセスポイント装置との無線接続が切断された要因が、前記無線ＬＡＮアクセスポイント装置の設定変更であると判定された場合、前記アドレス管理サーバ機能を起動し、前記無線ＬＡＮアクセスポイント装置との無線接続が切断された要因が、前記無線ＬＡＮアクセスポイント装置の設定変更ではないと判定された場合、前記アドレス管理サーバ機能を起動しない、請求項１に記載の無線ＬＡＮ中継装置。
【請求項３】
前記アドレス割当部は、
前記無線ＬＡＮアクセスポイント装置から送信されるビーコン情報に含まれるＢＳＳＩＤを有さない場合、前記無線ＬＡＮアクセスポイント装置が電源断の状態であると判定する、請求項２に記載の無線ＬＡＮ中継装置。
【請求項４】
前記アドレス割当部は、
前記無線ＬＡＮアクセスポイント装置から送信されるビーコン情報に含まれるＳＳＩＤを用いて、前記無線ＬＡＮアクセスポイント装置のＳＳＳＩＤが変更されたか否かを判定する、請求項２又は３に記載の無線ＬＡＮ中継装置。
【請求項５】
前記アドレス割当部は、
前記無線ＬＡＮアクセスポイント装置から送信されるビーコン情報に含まれる暗号化モードを用いて、前記無線ＬＡＮアクセスポイント装置の暗号化モードが変更されたか否かを判定する、請求項２乃至４のいずれか１項に記載の無線ＬＡＮ中継装置。
【請求項６】
前記アドレス割当部は、
前記監視部が、前記無線ＬＡＮアクセスポイント装置との無線接続が切断された状態から復旧したことを検知した場合に、前記アドレス管理サーバ機能を停止し、前記無線ＬＡＮ通信端末に対する通信用アドレスの割り当てを停止する、請求項１乃至５のいずれか１項に記載の無線ＬＡＮ中継装置。
【請求項７】
前記アドレス割当部は、
複数の前記無線ＬＡＮ通信端末の内、少なくとも１台の無線ＬＡＮ通信端末が、Ｗｅｂアクセス機能を有する場合に、前記アドレス管理サーバ機能を起動する、請求項１乃至６のいずれか１項に記載の無線ＬＡＮ中継装置。
【請求項８】
無線ＬＡＮアクセスポイント装置から送信された電波を中継する無線ＬＡＮ中継装置と、前記無線ＬＡＮ中継装置から送信された電波を受信する無線ＬＡＮ通信端末とを備える無線ＬＡＮ通信システムであって、
前記無線ＬＡＮ中継装置は、
前記無線ＬＡＮアクセスポイント装置との無線接続状態を監視する監視部と、
前記監視部が、前記無線ＬＡＮアクセスポイント装置との無線接続が切断されたことを検知した場合に、アドレス管理サーバ機能を起動し、前記無線ＬＡＮ通信端末へ通信用アドレスを割り当てるアドレス割当部と、を有し、
前記無線ＬＡＮ通信端末は、
前記無線ＬＡＮ中継装置から割り当てられた通信用アドレスを用いて前記無線ＬＡＮ中継装置へ接続する、無線ＬＡＮ通信システム。
【請求項９】
無線ＬＡＮアクセスポイント装置から送信された電波を中継して無線ＬＡＮ通信端末へ送信する無線ＬＡＮ中継装置におけるアドレス割当方法であって、
前記無線ＬＡＮアクセスポイント装置との無線接続状態を監視し、
前記無線ＬＡＮアクセスポイント装置との無線接続が切断されたことを検知した場合に、アドレス管理サーバ機能を起動し、
前記無線ＬＡＮ通信端末へ通信用アドレスを割り当てるアドレス割当方法。
【請求項１０】
無線ＬＡＮアクセスポイント装置から送信された電波を中継して無線ＬＡＮ通信端末へ送信するコンピュータに実行させるプログラムであって、
前記無線ＬＡＮアクセスポイント装置との無線接続状態を監視し、
前記無線ＬＡＮアクセスポイント装置との無線接続が切断されたことを検知した場合に、アドレス管理サーバ機能を起動し、
前記無線ＬＡＮ通信端末へ通信用アドレスを割り当てることをコンピュータに実行させるプログラム。
【発明の詳細な説明】
【技術分野】
【０００１】
本発明は無線ＬＡＮ中継装置、無線ＬＡＮ通信システム、アドレス割当方法及びプログラムに関し、特に障害発生時に動作する無線ＬＡＮ中継装置、無線ＬＡＮ通信システム、アドレス割当方法及びプログラムに関する。
【背景技術】
【０００２】
近年、家庭内もしくはビル内等の様々な場所に無線ＬＡＮ（Local Area Network）通信エリアが形成されている。また、無線ＬＡＮ中継装置を用いることによって、ビル内等において隅々まで電波を送信し、多くのユーザが無線ＬＡＮ通信を利用することができるような環境が構築されている。無線ＬＡＮ中継装置は、例えば、無線ＬＡＮアクセスポイント装置から送信された電波を中継して無線ＬＡＮ通信端末へ送信する。これによって、無線ＬＡＮアクセスポイント装置から送信された電波を直接受信することができない無線ＬＡＮ通信端末においても、無線ＬＡＮ中継装置を介して、無線ＬＡＮアクセスポイント装置へ接続することができる。
【０００３】
また、近年無線ＬＡＮ通信を利用するユーザに対する利便性の向上等を目的として、無線ＬＡＮアクセスポイント装置等に障害が発生した場合の対応についても検討が進められている。
【０００４】
特許文献１には、無線ＬＡＮルータのＷＡＮ（Wide Area Network）側回線が不通となった場合に、外部の無線ＬＡＮルータを用いて代替アクセス回線を設定することが記載されている。
【先行技術文献】
【特許文献】
【０００５】
【特許文献１】特開２０１４−１７５７７１号公報
【発明の概要】
【発明が解決しようとする課題】
【０００６】
無線ＬＡＮ通信端末が、無線ＬＡＮ中継装置を介して無線ＬＡＮアクセスポイント装置へ接続している構成において、無線ＬＡＮ中継装置と無線ＬＡＮアクセスポイント装置との間の無線接続が切断された場合について説明する。この場合、無線ＬＡＮアクセスポイント装置への代替アクセス回線を設定することができる他の無線中継装置が存在しない場合、特許文献１に記載の動作を実行しても、無線ＬＡＮ通信端末は、無線ＬＡＮアクセスポイント装置と通信を行うことができない。
【０００７】
また、無線ＬＡＮ通信端末と無線ＬＡＮ中継装置との間の無線接続は維持されているため、無線ＬＡＮ通信端末には、無線接続が維持されているにもかかわらず、インターネット等に接続することができないという事象が発生する。さらに、無線ＬＡＮ中継装置と無線ＬＡＮアクセスポイント装置との間の無線接続が切断されているため、無線ＬＡＮ通信端末は、ＤＨＣＰ（Dynamic Host Configuration Protocol）サーバからＩＰアドレスの割り当てを受けることができない。これより、無線ＬＡＮ通信端末のユーザは、インターネット等に接続することができない事象の原因を究明するために、無線ＬＡＮ中継装置の設定を確認しようとしても、無線ＬＡＮ中継装置へＷｅｂアクセス等行うことができないという問題がある。つまり、無線ＬＡＮ中継装置の設定を確認する場合、無線ＬＡＮ中継装置を直接操作しなければならないという問題がある。
【０００８】
本発明の目的は、無線ＬＡＮ中継装置と無線ＬＡＮアクセスポイント装置との間の無線接続が切断されている状況において、無線ＬＡＮ中継装置への遠隔アクセスを行う環境を構築することができる無線ＬＡＮ中継装置、無線ＬＡＮ通信システム、アドレス割当方法及びプログラムを提供することにある。
【課題を解決するための手段】
【０００９】
本発明の第１の態様にかかる無線ＬＡＮ中継装置は、無線ＬＡＮアクセスポイント装置から送信された電波を中継して無線ＬＡＮ通信端末へ送信する無線ＬＡＮ中継装置であって、前記無線ＬＡＮアクセスポイント装置との無線接続状態を監視する監視部と、前記監視部が、前記無線ＬＡＮアクセスポイント装置との無線接続が切断されたことを検知した場合に、アドレス管理サーバ機能を起動し、前記無線ＬＡＮ通信端末へ通信用アドレスを割り当てるアドレス割当部と、を備えるものである。
【００１０】
本発明の第２の態様にかかる無線ＬＡＮ通信システムは、無線ＬＡＮアクセスポイント装置から送信された電波を中継する無線ＬＡＮ中継装置と、前記無線ＬＡＮ中継装置から送信された電波を受信する無線ＬＡＮ通信端末とを備える無線ＬＡＮ通信システムであって、前記無線ＬＡＮ中継装置は、前記無線ＬＡＮアクセスポイント装置との無線接続状態を監視する監視部と、前記監視部が、前記無線ＬＡＮアクセスポイント装置との無線接続が切断されたことを検知した場合に、アドレス管理サーバ機能を起動し、前記無線ＬＡＮ通信端末へ通信用アドレスを割り当てるアドレス割当部と、を有し、前記無線ＬＡＮ通信端末は、前記無線ＬＡＮ中継装置から割り当てられた通信用アドレスを用いて前記無線ＬＡＮ中継装置へ接続するものである。
【００１１】
本発明の第３の態様にかかるアドレス割当方法は、無線ＬＡＮアクセスポイント装置から送信された電波を中継して無線ＬＡＮ通信端末へ送信する無線ＬＡＮ中継装置におけるアドレス割当方法であって、前記無線ＬＡＮアクセスポイント装置との無線接続状態を監視し、前記無線ＬＡＮアクセスポイント装置との無線接続が切断されたことを検知した場合に、アドレス管理サーバ機能を起動し、前記無線ＬＡＮ通信端末へ通信用アドレスを割り当てるものである。
【００１２】
本発明の第４の態様にかかるプログラムは、無線ＬＡＮアクセスポイント装置から送信された電波を中継して無線ＬＡＮ通信端末へ送信するコンピュータに実行させるプログラムであって、前記無線ＬＡＮアクセスポイント装置との無線接続状態を監視し、前記無線ＬＡＮアクセスポイント装置との無線接続が切断されたことを検知した場合に、アドレス管理サーバ機能を起動し、前記無線ＬＡＮ通信端末へ通信用アドレスを割り当てることをコンピュータに実行させるものである。
【発明の効果】
【００１３】
本発明により、無線ＬＡＮ中継装置と無線ＬＡＮアクセスポイント装置との間の無線接続が切断されている状況において、無線ＬＡＮ中継装置への遠隔アクセスを行う環境を構築することができる無線ＬＡＮ中継装置、無線ＬＡＮ通信システム、アドレス割当方法及びプログラムを提供することができる。
【図面の簡単な説明】
【００１４】
【図１】実施の形態１にかかる通信システムの構成図である。
【図２】実施の形態２にかかる無線ＬＡＮ中継装置の構成図である。
【図３】実施の形態２にかかる無線ＬＡＮ中継装置の構成図である。
【図４】実施の形態２にかかる無線ＬＡＮ中継装置が無線ＬＡＮアクセスポイント装置との間の無線接続の切断を検知した際の処理の概要を示す図である。
【図５】実施の形態２にかかる無線接続に関する切断理由の判別処理の流れを示す図である。
【図６】実施の形態３にかかる無線ＬＡＮ中継装置が無線ＬＡＮアクセスポイント装置との間の無線接続の復旧を検知した際の処理の概要を示す図である。
【図７】実施の形態４にかかる無線ＬＡＮ中継装置の構成図である。
【発明を実施するための形態】
【００１５】
（実施の形態１）
以下、図面を参照して本発明の実施の形態について説明する。図１を用いて本発明の実施の形態１にかかる通信システムの構成例について説明する。図１の通信システムは、無線ＬＡＮアクセスポイント装置１００、無線ＬＡＮ中継装置１１０及び無線ＬＡＮ通信端末１２０を有している。無線ＬＡＮアクセスポイント装置１００、無線ＬＡＮ中継装置１１０及び無線ＬＡＮ通信端末１２０は、プロセッサがメモリに格納されているプログラムを実行することによって動作するコンピュータ装置であってもよい。
【００１６】
無線ＬＡＮアクセスポイント装置１００は、いわゆるインターネット等へ接続するためのＷＡＮ回線を有していてもよい。ＷＡＮ回線は、例えば、光通信回線等が用いられてもよい。無線ＬＡＮ通信端末１２０は、スマートフォン、携帯電話端末もしくは通信機能を有するパーソナルコンピュータ装置等であってもよい。もしくは、無線ＬＡＮ通信端末１２０は、情報家電装置等であってもよい。
【００１７】
無線ＬＡＮ中継装置１１０は、無線ＬＡＮアクセスポイント装置１００から送信された電波を中継して、中継した電波を無線ＬＡＮ通信端末１２０へ送信する。無線ＬＡＮ中継装置１１０は、例えば、リピータもしくはリレー装置等と称されてもよい。
【００１８】
無線ＬＡＮ中継装置１１０は、無線ＬＡＮアクセスポイント装置１００及び無線ＬＡＮ通信端末１２０と無線接続する。無線接続とは、例えば、無線ＬＡＮ中継装置１１０が、無線ＬＡＮアクセスポイント装置１００及び無線ＬＡＮ通信端末１２０との間に無線通信回線を設定し、無線通信回線を介してデータを送受信することができる状態であってもよい。また、無線接続とは、無線ＬＡＮ通信を行うことができる状態であってもよい。
【００１９】
続いて、無線ＬＡＮ中継装置１１０の構成例について説明する。無線ＬＡＮ中継装置１１０は、監視部１０及びアドレス割当部１１を有している。無線ＬＡＮ中継装置１１０を構成する各構成要素は、プロセッサがメモリに格納されているプログラムを実行することによって処理が実行されるソフトウェアもしくはモジュールであってもよい。もしくは、無線ＬＡＮ中継装置１１０を構成する各構成要素は、回路等によって構成されてもよい。
【００２０】
監視部１０は、無線ＬＡＮ中継装置１１０と無線ＬＡＮアクセスポイント装置１００との無線接続状態を監視する。例えば、監視部１０は、無線ＬＡＮ中継装置１１０と無線ＬＡＮアクセスポイント装置１００との無線接続が維持されているかもしくは切断されているかを監視してもよい。
【００２１】
監視部１０が、無線ＬＡＮ中継装置１１０と無線ＬＡＮアクセスポイント装置１００との間の無線接続が切断されたことを検知した場合、アドレス割当部１１は、アドレス管理サーバ機能を起動する。アドレス管理サーバ機能は、例えば、ＤＨＣＰサーバ機能であってもよい。また、アドレス割当部１１は、アドレス管理サーバ機能を用いて、無線ＬＡＮ通信端末１２０へ通信用アドレスを割り当てる。例えば、アドレス割当部１１は、ＤＨＣＰサーバ機能を用いて、無線ＬＡＮ通信端末１２０へＩＰアドレスを割り当てる。通信用アドレスは、無線ＬＡＮ通信端末１２０を識別することができる識別情報であればよく、ＩＰアドレスに制限されない。
【００２２】
無線ＬＡＮ中継装置１１０と無線ＬＡＮアクセスポイント装置１００との間の無線接続が切断された状態であっても、無線ＬＡＮ通信端末１２０は、無線ＬＡＮ中継装置１１０と無線接続を維持している状態である。このような場合、無線ＬＡＮ通信端末１２０は、無線接続を維持している状態であるにもかかわらず、無線ＬＡＮアクセスポイント装置１００を介してインターネット上のＷｅｂサーバ等と通信を行うことができない状態となる。
【００２３】
無線ＬＡＮ中継装置１１０が、無線ＬＡＮアクセスポイント装置１００及び無線ＬＡＮ通信端末１２０と無線接続している状態においては、無線ＬＡＮ通信端末１２０は、無線ＬＡＮアクセスポイント装置１００もしくは無線ＬＡＮアクセスポイント装置１００のＷＡＮ側に配置されているＤＨＣＰサーバ等からＩＰアドレスが割り当てられる。しかし、無線ＬＡＮ中継装置１１０と無線ＬＡＮアクセスポイント装置１００との間の無線接続が切断されると、無線ＬＡＮ通信端末１２０は、無線ＬＡＮアクセスポイント装置１００もしくはＤＨＣＰサーバ等からＩＰアドレスが割り当てられなくなる。
【００２４】
無線ＬＡＮ中継装置１１０は、ＩＰアドレスが割り当てられなくなった状態の無線ＬＡＮ通信端末１２０に対して、通信用アドレスを割り当てる。
【００２５】
以上説明したように、無線ＬＡＮ中継装置１１０と無線ＬＡＮアクセスポイント装置１００との間の無線接続が切断されている状態において、無線ＬＡＮ中継装置１１０は、無線ＬＡＮ通信端末１２０へ通信用アドレスを割り当てることができる。これによって、無線ＬＡＮ通信端末１２０は、無線ＬＡＮ通信を利用して無線ＬＡＮ中継装置１１０と通信を行うことができる。例えば、ユーザは、無線ＬＡＮ通信端末１２０を利用して、無線ＬＡＮ中継装置１１０に対してＷｅｂアクセスを行うことによって、無線ＬＡＮ中継装置１１０の設定状況等を確認することができる。
【００２６】
無線通信端末１２０を操作するユーザは、無線ＬＡＮ中継装置１１０の設定状況等を確認することによって、無線ＬＡＮ中継装置１１０と無線ＬＡＮアクセスポイント装置１００との間の無線接続が切断されていること、さらに、切断理由等を認識することができる。
【００２７】
さらに、無線ＬＡＮ通信端末１２０を操作するユーザは、無線接続を復旧するための設定変更操作等を実行することができる。
【００２８】
（実施の形態２）
続いて、図２を用いて本発明の実施の形態２にかかる無線ＬＡＮ中継装置１１０の構成例について説明する。無線ＬＡＮ中継装置１１０は、制御部１１１、記憶部１１２及びネットワーク通信部１１３を有している。制御部１１１は、図１の監視部１０及びアドレス割当部１１に相当する。
【００２９】
制御部１１１は、無線ＬＡＮアクセスポイント装置１００及び無線ＬＡＮ通信端末１２０との無線接続状態を監視する。制御部１１１は、ＤＨＣＰサーバ機能の起動及び停止を制御する。制御部１１１は、無線接続状態の監視結果及びＤＨＣＰサーバ機能の制御結果を記憶部１１２へ出力する。
【００３０】
記憶部１１２は、制御部１１１から出力された無線接続状態の監視結果及びＤＨＣＰサーバ機能の制御結果等を記憶する。無線接続状態の監視結果は、例えば、無線ＬＡＮアクセスポイント装置１００との間の無線接続が切断されているかもしくは維持されているかを示していてもよい。また、ＤＨＣＰサーバ機能の制御結果は、ＤＨＣＰサーバ機能を起動しているかもしくは停止しているかを示していてもよい。また、記憶部１１２は、無線ＬＡＮアクセスポイント装置１００が送信するビーコンに設定されている情報を記憶してもよい。
【００３１】
ネットワーク通信部１１３は、無線ＬＡＮアクセスポイント装置１００及び無線ＬＡＮ通信端末１２０と無線接続し、無線ＬＡＮアクセスポイント装置１００及び無線ＬＡＮ通信端末１２０との間においてデータフレームを送受信する。
【００３２】
続いて、図３を用いて本発明の実施の形態２にかかる無線ＬＡＮ中継装置１１０の詳細な構成例について説明する。はじめに、制御部１１１の構成例について説明する。制御部１１１は、無線制御部１１１ａ、ＤＨＣＰｓ制御部１１１ｂ及びＨＴＴＰｓ制御部１１１ｃを有している。
【００３３】
無線制御部１１１ａは、ネットワーク通信部１１３と無線ＬＡＮアクセスポイント装置１００との間の無線接続の切断もしくは復旧を検知する。例えば、無線制御部１１１ａは、ネットワーク通信部１１３に対して、無線ＬＡＮアクセスポイント装置１００へ、正常性を確認するための問い合わせメッセージを送信することを指示してもよい。
【００３４】
ネットワーク通信部１１３が無線ＬＡＮアクセスポイント装置１００へ問い合わせメッセージを送信し、ネットワーク通信部１１３が無線ＬＡＮアクセスポイント装置１００から応答メッセージを受信すると、無線制御部１１１ａは、無線ＬＡＮアクセスポイント装置１００との無線接続が維持されていると判定してもよい。また、無線ＬＡＮアクセスポイント装置１００から応答メッセージが送信されてこない場合、無線制御部１１１ａは、無線接続が切断されていると判定してもよい。
【００３５】
無線制御部１１１ａは、無線ＬＡＮアクセスポイント装置１００との無線接続の状態を親機接続状態１１２ｂとして記憶部１１２に記憶する。無線ＬＡＮアクセスポイント装置１００との無線接続が切断されている場合、親機接続状態１１２ｂを切断として記憶し、無線ＬＡＮアクセスポイント装置１００との無線接続が維持されている場合、親機接続状態１１２ｂを接続として記憶する。
【００３６】
ＤＨＣＰｓ制御部１１１ｂは、ＤＨＣＰサーバ機能の起動及び停止を制御する。ＤＨＣＰサーバ機能は、例えば、プロセッサがプログラムを実行することによって処理が実行される機能であってもよい。また、ＤＨＣＰｓ制御部１１１ｂは、ＤＨＣＰサーバ機能を起動すると、無線ＬＡＮ通信端末１２０へＩＰアドレスを割り当てる。
【００３７】
ＤＨＣＰｓ制御部１１１ｂは、ＤＨＣＰサーバ機能の動作状態をＤＨＣＰｓ有効／無効状態１１２ａとして記憶部１１２に記憶する。ＤＨＣＰサーバ機能を起動している場合、ＤＨＣＰｓ有効／無効状態１１２ａをＤＨＣＰ有効として記憶し、ＤＨＣＰサーバ機能を停止している場合、ＤＨＣＰｓ有効／無効状態１１２ａをＤＨＣＰ無効として記憶する。
【００３８】
ＨＴＴＰｓ制御部１１１ｃは、ＨＴＴＰ通信を制御する。例えば、ＨＴＴＰｓ制御部１１１ｃは、無線ＬＡＮ通信端末１２０等から送信されたＨＴＴＰリクエストメッセージを受信すると、記憶部１１２にＷｅｂ情報１１２ｈとして記憶されている情報をＨＴＴＰ応答メッセージに設定してもよい。Ｗｅｂ情報１１２ｈは、無線ＬＡＮ中継装置１１０の設定を変更もしくは更新等するために用いられるＷｅｂページを形成するための情報であってもよい。
【００３９】
記憶部１１２には、上述した情報以外に、切断理由情報１１２ｃ、ビーコン情報１１２ｄが記憶されている。切断理由情報１１２ｃは、無線ＬＡＮ中継装置１１０と、無線ＬＡＮアクセスポイント装置１００との間の無線接続が切断されている場合に、切断理由を示す情報である。切断理由情報１１２ｃの判別処理については後に詳述する。
【００４０】
ビーコン情報１１２ｄは、無線ＬＡＮアクセスポイント装置１００が定期的に送信しているビーコンに設定されている情報である。また、無線ＬＡＮ中継装置１１０が、複数の無線ＬＡＮアクセスポイント装置１００からビーコン情報を受信した場合、無線ＬＡＮアクセスポイント装置１００毎にビーコン情報１１２ｄを保持してもよい。ビーコン情報１１２ｄは、ＢＳＳＩＤ（Basic Service Set Identifier）情報１１２ｅ、ＳＳＩＤ（Service Set Identifier）情報１１２ｆ及び暗号化モード情報１１２ｇを含む。
【００４１】
ＢＳＳＩＤ情報１１２ｅは、例えば、無線ＬＡＮアクセスポイント装置１００のＭＡＣアドレスを示す情報であってもよい。ＳＳＩＤ情報１１２ｆは、無線ＬＡＮアクセスポイント装置１００を識別する情報であり、例えば、文字情報等であってもよい。暗号化モード情報１１２ｇは、無線ＬＡＮアクセスポイント装置１００との間の通信において用いられる暗号化モードを示す情報である。例えば、暗号化モード情報１１２ｇは、ＷＥＰ（Wired Equivalent Privacy）暗号化方式において用いられる鍵情報、もしくは、ＡＥＳ（Advanced Encryption Standard）暗号化方式において用いられる鍵情報等であってもよい。
【００４２】
続いて、図４を用いて本発明の実施の形態２にかかる無線ＬＡＮ中継装置１１０における、無線ＬＡＮアクセスポイント装置１００との間の無線接続の切断を検知した際の処理の概要について説明する。
【００４３】
はじめに、無線制御部１１１ａは、無線ＬＡＮアクセスポイント装置１００との間の無線接続が切断されたことを検知する（Ｓ１０）。無線制御部１１１ａは、無線ＬＡＮアクセスポイント装置１００との間の無線接続が切断されたことを検知すると、親機接続状態１１２ｂを、切断として保持する。次に、無線制御部１１１ａは、ＢＳＳＩＤを用いて、無線ＬＡＮアクセスポイント装置１００と無線ＬＡＮ中継装置１１０との間の無線接続が切断された理由を判別する処理を実行する（Ｓ１１）。無線制御部１１１ａは、無線ＬＡＮアクセスポイント装置１００と無線ＬＡＮ中継装置１１０との間の無線接続が切断された理由を判別すると、切断理由情報１１２ｃの理由を更新する。
【００４４】
次に、ＤＨＣＰｓ制御部１１１ｂは、切断理由情報１１２ｃに記録されている無線接続の切断理由に応じて、ＤＨＣＰ機能を起動させるかもしくは停止させるかを判定する（Ｓ１２）。
【００４５】
次に、無線制御部１１１ａは、無線ＬＡＮ通信端末１２０との無線接続を切断する（Ｓ１３）。これによって、無線制御部１１１ａは、無線ＬＡＮ通信端末１２０に対して、無線ＬＡＮ中継装置１１０への再接続を促す。無線ＬＡＮ中継装置１１０におけるＤＨＣＰ機能が起動した後に、無線ＬＡＮ通信端末１２０が無線ＬＡＮ中継装置１１０へ再接続を行うことによって、無線ＬＡＮ中継装置１１０は、無線ＬＡＮ通信端末１２０へ、ＤＨＣＰ機能を動作させてＩＰアドレスを割り当てることができる。
【００４６】
続いて、図５を用いて本発明の実施の形態２にかかるＢＳＳＩＤを用いた無線接続に関する切断理由の判別処理の流れについて説明する。言い換えると、図５を用いて図４のステップＳ１１において実行される具体的な処理について説明する。はじめに、無線制御部１１１ａは、無線接続が切断された無線ＬＡＮアクセスポイント装置１００のＭＡＣアドレスと、ＢＳＳＩＤ情報１１２ｅに保持されているＭＡＣアドレスとを参照する（Ｓ２０）。
【００４７】
次に、無線制御部１１１ａは、無線接続が切断された無線ＬＡＮアクセスポイント装置１００のＭＡＣアドレスが、ＢＳＳＩＤ情報１１２ｅに存在しないと判定した場合（Ｓ２１）、無線ＬＡＮアクセスポイント装置１００の電源が停止したとみなす。この場合、無線制御部１１１ａは、「親機電源ＯＦＦ」との切断理由を切断理由情報１１２ｃへ記録する（Ｓ２２）。無線ＬＡＮアクセスポイント装置１００の電源が停止している状態の場合、無線ＬＡＮアクセスポイント装置１００は、ビーコン情報を送信することができない。そのため、無線ＬＡＮ中継装置１１０は、ビーコン情報１１２ｄにおいて、無線ＬＡＮアクセスポイント装置１００に関するビーコン情報を保持することはない。そのため、無線制御部１１１ａが無線ＬＡＮアクセスポイント装置１００との間の無線接続が切断されたことを検知した以降、ＢＳＳＩＤ情報１１２ｅに無線ＬＡＮアクセスポイント装置１００のＭＡＣアドレスと同一のＢＳＳＩＤ情報が存在しない場合、無線ＬＡＮアクセスポイント装置１００の電源が停止している状態であるとみなすことができる。
【００４８】
ステップＳ２１において、無線制御部１１１ａは、無線接続が切断された無線ＬＡＮアクセスポイント装置１００のＭＡＣアドレスが、ＢＳＳＩＤ情報１１２ｅに存在すると判定した場合、ＳＳＩＤ情報１１２ｆが、無線ＬＡＮアクセスポイント装置１００との間の無線接続の切断前後において、変更されているか否かを判定する（Ｓ２３）。無線制御部１１１ａは、ＳＳＩＤ情報１１２ｆが、変更されていると判定した場合、「ＳＳＩＤ変更」との切断理由を切断理由情報１１２ｃへ記録する（Ｓ２４）。
【００４９】
ステップＳ２３において、無線制御部１１１ａは、ＳＳＩＤが変更されていないと判定した場合、暗号化モード情報１１２ｇが、無線ＬＡＮアクセスポイント装置１００との間の無線接続の切断前後において、変更されているか否かを判定する（Ｓ２５）。無線制御部１１１ａは、暗号化モード情報１１２ｇが変更されていると判定した場合、「暗号化モード変更」との切断理由を切断理由情報１１２ｃへ記録する（Ｓ２６）。ステップＳ２５において、無線制御部１１１ａは、暗号化モードが変更されていないと判定した場合、「その他の理由」との切断理由を切断理由情報１１２ｃへ記録する（Ｓ２７）。切断理由が、「その他の理由」に該当する状態とは、例えば、ＷＰＳ（Wi-Fi（登録商標） Protected Setup）が実行されたことに伴い、一時的に無線ＬＡＮアクセスポイント装置１００と無線ＬＡＮ中継装置１１０との間の無線接続が切断された場合等が該当する。
【００５０】
続いて、図４のステップＳ１２におけるＤＨＣＰ機能の起動もしくは停止処理の詳細について説明する。ＤＨＣＰｓ制御部１１１ｂは、親機接続状態１１２ｂが、「切断」とされており、ＤＨＣＰｓ有効／無効状態１１２ａが、「ＤＨＣＰ無効」とされている場合、切断理由情報１１２ｃに設定されている切断理由に応じて、ＤＨＣＰサーバ機能を起動するか否かを判定する。
【００５１】
ＤＨＣＰｓ制御部１１１ｂは、例えば、切断理由情報１１２ｃに設定されている切断理由が、「親機電源ＯＦＦ」、「ＳＳＩＤ変更」及び「暗号化モード変更」である場合、停止状態のＤＨＣＰサーバ機能を起動してもよい。切断理由が、「親機電源ＯＦＦ」、「ＳＳＩＤ変更」及び「暗号化モード変更」である場合、無線ＬＡＮアクセスポイント装置１００の電源の交換もしくは無線ＬＡＮアクセスポイント装置１００の設定変更等の作業が必要となり、切断理由を解消するまでに時間がかかる可能性もある。そのため、ＤＨＣＰｓ制御部１１１ｂは、無線ＬＡＮ通信端末１２０が、無線ＬＡＮ中継装置１１０へアクセスして、切断されている事象等を確認することができるように、ＤＨＣＰサーバ機能を起動する。
【００５２】
ＤＨＣＰｓ制御部１１１ｂは、例えば、切断理由情報１１２ｃに設定されている切断理由が、「その他の理由」である場合、ＤＨＣＰサーバ機能を停止のままとしてもよい。切断理由が、「その他の理由」である場合、切断事象は一時的である可能性もあり、一定時間経過後に、接続が回復することも考えられる。そのため、ＤＨＣＰｓ制御部１１１ｂは、ＤＨＣＰサーバ機能を起動しないとしてもよい。
【００５３】
以上説明したように、本発明の実施の形態２にかかる無線ＬＡＮ中継装置１１０は、無線ＬＡＮアクセスポイント装置１００との間の無線接続が切断された理由に応じて、ＤＨＣＰサーバ機能の起動及び停止を制御することができる。
【００５４】
また、無線ＬＡＮ中継装置１１０が、ＤＨＣＰサーバ機能を起動し、無線ＬＡＮ通信端末１２０へＩＰアドレスを割り当てることができる。これより、無線ＬＡＮ通信端末１２０は、無線ＬＡＮ中継装置１１０へＷｅｂアクセスを行うことが可能となる。無線ＬＡＮ中継装置１１０が、無線接続の切断理由をＷｅｂページにて開示し、また、無線ＬＡＮ中継装置１１０における設定変更等をＷｅｂページ上で可能にすることによって、無線ＬＡＮ通信端末１２０は、無線接続の切断理由を把握することができ、さらに、無線接続を復旧させるために、無線ＬＡＮ中継装置１１０の設定変更等も行うことができる。
【００５５】
（実施の形態３）
続いて、図６を用いて本発明の実施の形態３にかかる無線ＬＡＮ中継装置１１０における、無線ＬＡＮアクセスポイント装置１００との間の無線接続の復旧を検知した際の処理の概要について説明する。
【００５６】
はじめに、無線制御部１１１ａは、切断状態であった無線ＬＡＮアクセスポイント装置１００との間の無線接続が復旧し、接続状態となったことを検知する（Ｓ３０）。例えば、無線制御部１１１ａは、無線ＬＡＮアクセスポイント装置１００へ問い合わせメッセージを送信した後に、無線ＬＡＮアクセスポイント装置１００から応答メッセージを受信した場合等に、無線ＬＡＮアクセスポイント装置１００との間の無線接続が復旧したと判定してもよい。無線制御部１１１ａは、無線ＬＡＮアクセスポイント装置１００との間の無線接続が復旧したと判定すると、親機接続状態１１２ｂを「接続」とし、切断理由情報１１２ｃを「接続中」と変更する。
【００５７】
次に、ＤＨＣＰｓ制御部１１１ｂは、ＤＨＣＰｓ有効／無効状態１１２ａが「ＤＨＣＰ有効」とされている場合、ＤＨＣＰサーバ機能を停止し、ＤＨＣＰｓ有効／無効状態１１２ａを「ＤＨＣＰ無効」と変更する（Ｓ３１）。
【００５８】
次に、無線制御部１１１ａは、無線ＬＡＮ通信端末１２０との間の無線接続を切断する（Ｓ３２）。これによって、無線制御部１１１ａは、無線ＬＡＮ通信端末１２０に対して、無線ＬＡＮ中継装置１１０への再接続を促す。無線ＬＡＮ通信端末１２０は、無線ＬＡＮ中継装置１１０と再接続した後は、無線ＬＡＮアクセスポイント装置１００からＩＰアドレスを割り当てられる。これより、無線ＬＡＮ通信端末１２０は、無線ＬＡＮアクセスポイント装置１００を介してインターネット網等に設置されているサーバ装置等と通信を行うことができる。
【００５９】
以上説明したように、本発明の実施の形態３にかかる無線ＬＡＮ中継装置１１０は、無線ＬＡＮアクセスポイント装置１００との間の無線接続が復旧した後に、ＤＨＣＰサーバ機能を停止することができる。これによって、無線ＬＡＮ通信端末１２０は、無線ＬＡＮアクセスポイント装置１００もしくはインターネット網に設置されているＤＨＣＰサーバ等から、ＩＰアドレスの割り当てを受けることができる。その結果、無線ＬＡＮ通信端末１２０は、自装置の設定を変更等することなく、無線ＬＡＮアクセスポイント装置１００と無線ＬＡＮ中継装置１１０との間の無線接続が復旧した後は、インターネット網等へアクセスすることができる。
【００６０】
（実施の形態４）
続いて、図７を用いて本発明の実施の形態４にかかる無線ＬＡＮ中継装置２１０の構成例について説明する。無線ＬＡＮ中継装置２１０は、図３の無線ＬＡＮ中継装置１１０に、子機情報１１２ｉを追加した構成となっている。本図においては、主に、図３の無線ＬＡＮ中継装置１１０と異なる点を説明する。
【００６１】
子機情報１１２ｉは、無線ＬＡＮ中継装置１１０に無線接続している少なくとも１台以上の無線ＬＡＮ通信端末１２０に関する情報を示している。例えば、子機情報１１２ｉは、無線ＬＡＮ通信端末１２０が、Ｗｅｂアクセスすることができる端末であるか否かを示す情報であってもよい。さらに、子機情報１１２ｉは、無線ＬＡＮ通信端末１２０が過去にＷｅｂアクセスを行ったか否かを示す履歴情報であってもよい。
【００６２】
Ｗｅｂアクセスすることができる端末とは、例えば、ＨＴＴＰを実行することができる端末であってもよい。無線ＬＡＮ通信端末１２０は、Ｗｅｂサーバ等へＨＴＴＰリクエストメッセージを送信し、ＨＴＴＰ応答メッセージを受信することによって、Ｗｅｂサーバが管理している情報を閲覧することができる。
【００６３】
Ｗｅｂアクセスすることができる端末に関する情報は、無線ＬＡＮ中継装置２１０を操作するユーザが、入力する情報であってもよい。過去にＷｅｂアクセスを行ったか否かを示す履歴情報は、無線ＬＡＮ中継装置２１０が、無線ＬＡＮ通信端末１２０から送信されたメッセージを解析し、自律的に生成してもよい。
【００６４】
また、子機情報１１２ｉは、無線ＬＡＮアクセスポイント装置１００から送信される情報であってもよい。例えば、無線ＬＡＮアクセスポイント装置１００は、過去にＤＨＣＰリクエストを受けた際のオプション値を管理していてもよい。例えば、オプション値には、Ｗｅｂサーバアドレスが指定されている場合もある。つまり、オプション値を確認することによって、無線ＬＡＮ通信端末１２０がＷｅｂアクセス可能な端末か否かを判断することができる。
【００６５】
そのため、無線ＬＡＮ中継装置１１０は、子機情報１１２ｉとして、無線ＬＡＮアクセスポイント装置１００において保持されているＤＨＣＰのオプション値を取得し、オプション値と、そのオプション値を指定してＤＨＣＰリクエストを行った無線ＬＡＮ通信端末１２０のＭＡＣアドレスと、を関連付けて管理してもよい。
【００６６】
ここで、ＤＨＣＰｓ制御部１１１ｂは、無線ＬＡＮアクセスポイント装置１００との間の無線接続が切断され、ＤＨＣＰサーバ機能を起動するか否かを判定する際に、子機情報１１２ｉを考慮してもよい。例えば、ＤＨＣＰｓ制御部１１１ｂは、子機情報１１２ｉにおいて、Ｗｅｂアクセスすることができる端末もしくは過去にＷｅｂアクセスを行った端末が自装置に無線接続している場合、ＤＨＣＰサーバ機能を起動するようにしてもよい。
【００６７】
例えば、無線ＬＡＮ通信端末１２０には、Ｗｅｂアクセスを行うスマートフォン等の通信装置のみではなく、情報家電装置もしくは無線ＬＡＮ対応リモコン装置等、様々な端末がある。無線ＬＡＮ中継装置１１０に、様々な無線ＬＡＮ通信端末１２０が無線接続している状態において、Ｗｅｂアクセスを行うことができない無線ＬＡＮ通信端末１２０もしくはＷｅｂアクセスを行ったことがない無線ＬＡＮ通信端末１２０のみが無線ＬＡＮ中継装置１１０に無線接続している場合、それらの無線ＬＡＮ通信端末１２０が、無線ＬＡＮ中継装置１１０にＷｅｂアクセスすることはない。つまり、無線ＬＡＮ中継装置１１０にＷｅｂアクセスを行うことができない無線ＬＡＮ通信端末１２０等のみが無線接続している状態において、ＤＨＣＰｓ制御部１１１ｂがＤＨＣＰサーバ機能を起動することは消費電力もしくはリソース等の観点から無駄な処理となる。
【００６８】
本発明の実施の形態４にかかる無線ＬＡＮ中継装置２１０は、Ｗｅｂアクセスを行うことができる無線ＬＡＮ通信端末１２０等のみが無線ＬＡＮ中継装置２１０に接続している場合に、ＤＨＳＣＰサーバ機能を起動させることができる。そのため、無線ＬＡＮ中継装置２１０は、ＤＨＣＰサーバ機能を、消費電力もしくはリソース等の観点から、無駄に起動させることを防止することができる。
【００６９】
上述の実施の形態では、本発明をハードウェアの構成として説明したが、本発明は、これに限定されるものではない。本発明は、無線ＬＡＮ中継装置１１０における処理を、ＣＰＵ（Central Processing Unit）にコンピュータプログラムを実行させることにより実現することも可能である。）
【００７０】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７１】
なお、本発明は上記実施の形態に限られたものではなく、趣旨を逸脱しない範囲で適宜変更することが可能である。
【符号の説明】
【００７２】
１０  監視部
１１  アドレス割当部
１００  無線ＬＡＮアクセスポイント装置
１１０  無線ＬＡＮ中継装置
１１１  制御部
１１１ａ  無線制御部
１１１ｂ  ＤＨＣＰｓ制御部
１１１ｃ  ＨＴＴＰｓ制御部
１１２  記憶部
１１２ａ  ＤＨＣＰｓ有効／無効状態
１１２ｂ  親機接続状態
１１２ｃ  切断理由情報
１１２ｄ  ビーコン情報
１１２ｅ  ＢＳＳＩＤ情報
１１２ｆ  ＳＳＩＤ情報
１１２ｇ  暗号化モード情報
１１２ｈ  Ｗｅｂ情報
１１２ｉ  子機情報
１１３  ネットワーク通信部
１２０  無線ＬＡＮ通信端末
２１０  無線ＬＡＮ中継装置
【図１】
2016192637.tif 000003
【図２】
2016192637.tif 000004
【図３】
2016192637.tif 000005
【図４】
2016192637.tif 000006
【図５】
2016192637.tif 000007
【図６】
2016192637.tif 000008
【図７】
2016192637.tif 000009